(57)【要約】【課題】より意匠性に優れた扉を提供する。【解決手段】見込み方向に対向する２枚の鋼板、及び、２枚の鋼板の間に設けられる芯材、を有し、見込み方向に連通する開口を備えた扉本体と、開口に設けられ、見込み方向に連通する開口窓を形成する開口枠と、開口窓を閉止可能に開口枠に支持され、見込み方向における一方側に移動して開口窓が開放される障子と、を備え、２枚の鋼板のうちの見込み方向における他方側に位置する他方側鋼板は、芯材において開口をなす芯材開口の内縁よりも内側に突出する内側突出部を有し、開口枠は、内側突出部と見込み方向に対向する突出部対向部と、芯材開口よりも外側に突出して２枚の鋼板のうちの一方側に位置する一方側鋼板と見込み方向に対向する鋼板対向部と、を有しており、突出部対向部が内側突出部に固定されている。【選択図】図４
2020147952.tif 000002
【特許請求の範囲】
【請求項１】
見込み方向に対向する２枚の鋼板、及び、
前記２枚の鋼板の間に設けられる芯材、を有し、
見込み方向に連通する開口を備えた扉本体と、
前記開口に設けられ、見込み方向に連通する開口窓を形成する開口枠と、
前記開口窓を閉止可能に前記開口枠に支持され、見込み方向における一方側に移動して前記開口窓が開放される障子と、
を備え、
前記２枚の鋼板のうちの見込み方向における他方側に位置する他方側鋼板は、前記芯材において前記開口をなす芯材開口の内縁よりも内側に突出する内側突出部を有し、
前記開口枠は、前記内側突出部と見込み方向に対向する突出部対向部と、前記芯材開口よりも外側に突出して前記２枚の鋼板のうちの前記一方側に位置する一方側鋼板と見込み方向に対向する鋼板対向部と、を有しており、
前記突出部対向部が前記内側突出部に固定されていることを特徴とする扉。
【請求項２】
請求項１に記載の扉であって、
前記他方側鋼板の前記他方側に、当該他方側鋼板の縁部を覆う化粧材を有し、
前記突出部対向部は前記化粧材に螺合されるねじにより前記内側突出部に固定されていることを特徴とする扉。
【請求項３】
請求項２に記載の扉であって、
前記化粧材は、前記扉本体の幅方向おいて前記芯材開口の内縁よりも内側に配置されていることを特徴とする扉。
【請求項４】
請求項１乃至請求項３のいずれかに記載の扉であって、
前記障子は、前記開口窓を閉塞した状態で、前記開口枠よりも一方側にて、前記芯材開口よりも外側に延出する外周延出部を有し、
前記外周延出部は前記鋼板対向部を覆っていることを特徴とする扉。
【請求項５】
請求項１乃至請求項４のいずれかに記載の扉であって、
前記ねじは、閉じた前記障子の屋外側において当該障子と対向する位置に配置されていることを特徴とする扉。
【発明の詳細な説明】
【技術分野】
【０００１】
本発明は、開閉可能な障子を備えた扉に関する。
【背景技術】
【０００２】
開閉可能な障子を備えた扉としては、例えば、換気のための開閉窓を備えたドアが知られている（例えば、特許文献１参照）。この扉は、表裏が鋼板に覆われ開口部を有するドア本体の、表裏の鋼板間に開口部枠が設けられており、開口部を開閉する障子が開口部枠に支持されている。開口部枠は、表裏の鋼板にそれぞれリベット等により固定されており、リベットが露出しないようにリベット及び開口部枠を被うカバーが取り付けられている。
【先行技術文献】
【特許文献】
【０００３】
【特許文献１】特開２０１５−９８７１５号公報
【発明の概要】
【発明が解決しようとする課題】
【０００４】
上記従来の扉は、リベット等が露出しないように開口部枠にカバーが取り付けられているので、開口部枠及びカバーでなる枠の部分が大きく、また、見込み方向にも張り出している。このため、扉の意匠性が損なわれるという課題がある。
本発明は、かかる課題に鑑みてなされたものであり、その目的とするところは、より意匠性に優れた扉を提供することにある。
【課題を解決するための手段】
【０００５】
かかる目的を達成するために本発明の扉は、見込み方向に対向する２枚の鋼板、及び、前記２枚の鋼板の間に設けられる芯材、を有し、見込み方向に連通する開口を備えた扉本体と、前記開口に設けられ、見込み方向に連通する開口窓を形成する開口枠と、前記開口窓を閉止可能に前記開口枠に支持され、見込み方向における一方側に移動して前記開口窓が開放される障子と、を備え、前記２枚の鋼板のうちの見込み方向における他方側に位置する他方側鋼板は、前記芯材において前記開口をなす芯材開口の内縁よりも内側に突出する内側突出部を有し、前記開口枠は、前記内側突出部と見込み方向に対向する突出部対向部と、前記芯材開口よりも外側に突出して前記２枚の鋼板のうちの前記一方側に位置する一方側鋼板と見込み方向に対向する鋼板対向部と、を有しており、前記突出部対向部が前記内側突出部に固定されていることを特徴とする扉である。
本発明の他の特徴については、本明細書及び添付図面の記載により明らかにする。
【発明の効果】
【０００６】
本発明によれば、より意匠性に優れた扉を提供することが可能である。
【図面の簡単な説明】
【０００７】
【図１】本発明にかかる扉の一例を示す縦断面図である。
【図２】本発明にかかる扉の一例を示す横断面図である。
【図３】図１におけるＡ部の拡大図である。
【図４】図２におけるＢ部の拡大図である。
【図５】障子を開いた状態を示す横断面図である。
【図６】扉を屋外側から見た図である。
【図７】扉を屋内側から見た図である。
【発明を実施するための形態】
【０００８】
以下、本発明の一実施形態に係る扉について図面を参照して説明する。
本実施形態では、扉として、玄関に用いられる玄関扉を例に挙げて説明する。
【０００９】
以下の説明においては、玄関扉（以下、扉という）が建物に取り付けられている状態で屋内側から見たときに、上下となる方向を上下方向、左右となり扉の幅となる方向を左右方向、屋内外方向である奥行き方向を見込み方向として示す。扉の各部位であっても、また、扉を構成する各部材については単体の状態であっても、扉が取り付けられた状態で上下方向、左右方向、見込み方向等となる方向にて方向を特定して説明する。
【００１０】
扉１は、図１、図２に示すように、建物等に取り付けられた枠体２にヒンジ２ａにより回動自在に支持される。扉１は、屋内外を見込み方向に連通する開口窓１ａを有しており、開口窓１ａは、屋内側に開く障子３により閉塞可能に設けられている。
【００１１】
扉１は、外周部分に設けられ矩形状に接合された外周枠４、外周枠の内側に配置され芯材開口５ａが設けられたパネル状の芯材５、及び、外周枠４と芯材５の屋外側及び屋内側の全面に貼り付けられている２枚の鋼板６、７を有し開口８ａが設けられている扉本体８と、芯材５の芯材開口５ａの内側に設けられる開口窓１ａを形成する開口枠９と、開口枠９にリンク機構１０を介して回動自在に設けられる障子３と、屋外側の鋼板７の屋外側に設けられる化粧材１１と、を有している。
【００１２】
図３、図４に示すように、２枚の鋼板６、７のうち屋外側の鋼板６は、芯材開口５ａを有する芯材５の内縁５ｂよりも内側に突出する内側突出部６ａを有しており、内側突出部６ａの内側の縁部６ｂが屋外鋼板開口６ｃをなしている。２枚の鋼板６、７のうち屋外側の鋼板７は、芯材開口５ａをなす芯材５の内縁５ｂよりも内側に僅かに突出する縁部７ａがなす屋内鋼板開口７ｂを有している。ここで、芯材５に２枚の鋼板６、７が貼り付けられて、芯材開口５ａ、屋外鋼板開口６ｃ、屋内鋼板開口７ｂがなす見込み方向に連通する開口８ａが、扉本体８が備える開口に相当する。図３は、屋内側から見た開口窓１ａの右側部分の構成を示しているが左側部分も同様である。また、図４は、開口窓１ａの下側部分の構成を示しているが上側部分も同様である。
【００１３】
開口枠９は、芯材開口５ａの内側に配置され左右方向に間隔を空けて配置される開口縦枠９０と、左右の開口縦枠９０の上及び下の端部間に配置される開口横枠９１とが、矩形状に接合されている。左右方向に間隔を空けて配置された開口縦枠９０は、互いに対向する見込み面をなす縦対向板部９０ａと、縦対向板部９０ａの屋外側の先端から開口８ａの中央側に延びる縦枠屋外延出部９０ｂと、縦対向板部９０ａの屋内側の先端から左右方向における外側に延びる縦枠屋内延出部９０ｃと、を有している。
【００１４】
縦枠屋外延出部９０ｂの先端部分には、防虫用の網１２と網１２を張設するゴムチューブ１３が嵌め込まれる溝９０ｄが設けられている。また、縦枠屋外延出部９０ｂの左右方向における中間の位置、及び、縦枠屋内延出部９０ｃの基端部側、すなわち縦対向板部９０ａ側の部位には、全長に渡って設けられた嵌合部９０ｅにシール材１４が嵌合されている。縦枠屋外延出部９０ｂと縦枠屋内延出部９０ｃとの嵌合部９０ｅに嵌合されたシール材１４は、屋内側に向かって突出している。
【００１５】
開口横枠９１は各々、上下方向に間隔を空けて対向する見込み面をなす横対向板部９１ａを有し長手方向に貫通する中空部を有する横枠本体９１ｂと、横枠本体９１ｂの屋外側の先端から上方向または下方向に延びる横枠屋外延出部９１ｃと、横枠本体９１ｂの屋内側の先端から上方向または下方向に延びる横枠屋内延出部９１ｄと、を有している。
【００１６】
横枠屋外延出部９１ｃの先端部分には、防虫用の網１２と網１２を張設するゴムチューブ１３が嵌め込まれる溝９１ｅが設けられている。また、横枠屋外延出部９１ｃの溝９１ｅと上下方向に間隔を空けた位置、及び、横枠本体９１ｂの上下方向において横枠屋内延出部９１ｄとは反対側の部位には、全長に渡って設けられた嵌合部９１ｆにシール材１４が嵌合されている。横枠屋外延出部９１ｃと横枠本体９１ｂとの嵌合部９１ｆに嵌合されたシール材１４は、屋内側に向かって突出している。
【００１７】
矩形状に接合された開口枠９は、２枚の鋼板６、７が貼り付けられている芯材５の芯材開口５ａ内に配置される。このとき、縦枠屋外延出部９０ｂ及び横枠屋外延出部９１ｃは、屋外側の鋼板６における芯材開口５ａ内周側に突出している内側突出部６ａと対向して接着されており、縦枠屋内延出部９０ｃ及び横枠屋内延出部９１ｄは、屋内側の鋼板７の屋内側にて当該鋼板７の縁部７ａと対向して接着されている。
【００１８】
扉１の屋外側には、開口窓１ａの左右の縁をなす２本の化粧材１１が上下方向に沿って全長に渡って配置されている。２本の化粧材１１は、縦枠屋外延出部９０ｂの先端と屋外側の鋼板６の縁部６ｂとを開口窓１ａの中央側から覆う見込み片１１ａと、屋内側から進入するねじ１５が螺合されるねじ螺合部１１ｂと、を有している。ねじ螺合部１１ｂは、化粧材１１の幅のほぼ中央に位置しており、化粧材１１の左右方向における外側の縁１１ｃは、左右の開口縦枠９０の縦対向板部９０ａよりも内側に位置している。ここで、縦枠屋外延出部９０ｂが突出部対向部に相当し、縦枠屋内延出部９０ｃが鋼板対向部に相当する。
【００１９】
開口枠９は、開口縦枠９０の縦枠屋外延出部９０ｂの溝９０ｄと嵌合部９０ｅとの間にて当該縦枠屋外延出部９０ｂと鋼板６の内側突出部６ａを屋内側から貫通するねじ１５が化粧材１１のねじ螺合部１１ｂに螺合されて扉本体８に取り付けられている。すなわち、縦枠屋外延出部９０ｂが内側突出部６ａに固定されて、屋内側の鋼板７及び芯材５が、縦枠屋内延出部９０ｃと屋外側の鋼板６とに挟持されている。２本の化粧材１１が扉本体８に取り付けられる際には、２本の化粧材１１の間における開口窓１ａの上及び下の領域を覆う化粧板１６が、左右方向における両側から化粧材１１に支持されて取り付けられる。
【００２０】
障子３は、開口枠９の内側に配置され左右方向に間隔を空けて配置される縦框３１と、左右の縦框３１の上及び下の端部間に配置される横框３２とが、矩形状に接合された框３０と、框３０の内側に嵌め込まれた複層ガラス３３と、を有している。縦框３１及び横框３２はいずれも、框３０をして接合された状態で内周側に位置する部位に、長手方向に沿って断面が矩形状をなす内周中空部３１ａ、３２ａが設けられている。各内周中空部３１ａ、３２ａを形成し、左右の縦框３１において対向する部位、及び、上下の横框３２において対向する部位には、グレーチングチャンネル１７を介して複層ガラス３３の周端部が全周にわたって嵌め込まれている。
【００２１】
縦框３１は、内周中空部３１ａを形成する屋外側の面をなす縦框屋外壁部３１ｂが、框３０の外周側に延出された縦框屋外延出部３１ｃと、内周中空部３１ａの屋内側の面をなす縦框屋内壁部３１ｄが、框３０の外周側に延出された外周延出部としての縦框屋内延出部３１ｅと、を有している。
【００２２】
横框３２は、内周中空部３２ａの外周側に並べて外周中空部３２ｂが設けられている。内周中空部３２ａと外周中空部３２ｂの屋内側の面を形成する横框屋内壁部３２ｃは、平坦に繋がるとともに框３０の外周側に延出された横框屋内延出部３２ｄが設けられている。
【００２３】
障子３は、上下の横框３２が有する外周中空部３２ｂを形成する外周側の壁部をなす横框外周壁部３２ｅの各々と、上下の開口横枠９１が有する横対向板部９１ａの各々との間にリンク機構１０が設けられており、図５に示すように、リンク機構１０により開閉可能である。
【００２４】
障子３は、屋内側から見たときに、左側に位置する縦框３１側が戸先側となり、右側に位置する縦框３１が回動中心をなす吊り元側となっている。障子３は、戸先側の縦框３１を屋内側に引くことにより、吊り元の縦框３１側が左側に移動しつつ障子３が回動することにより障子が３屋内側に移動して開口窓１ａが開放されるように構成されている。ここで、屋内側が、開口窓１ａが開放される際に障子３が移動する見込み方向における一方側に相当し、屋外側が、見込み方向における他方側に相当する。また、扉本体８が有する２枚の鋼板６、７のうちの、屋外側の鋼板６が他方側鋼板に相当し、屋内側の鋼板７が一方側鋼板に相当する。
【００２５】
障子３を閉じた状態では、縦框屋内延出部３１ｅ及び横框屋内延出部３２ｄを除く部位が、左右の縦対向板部９０ａ間及び上下の横対向板部９１ａ間に配置され、縦框屋外延出部３１ｃ及び外周中空部３２ｂが、縦枠屋外延出部９０ｂ及び横枠屋外延出部９１ｃに設けられたシール材１４に当接されている。
【００２６】
また、框３０の縦框屋内延出部３１ｅ及び横框屋内延出部３２ｄは、開口枠９の縦枠屋内延出部９０ｃ及び横枠屋内延出部９１ｄよりも屋内側に位置しており、縦枠屋内延出部９０ｃ及び横枠屋内延出部９１ｄと見込み方向に対向して屋内側から縦枠屋内延出部９０ｃ及び横枠屋内延出部９１ｄを覆っている。このとき、縦框屋内延出部３１ｅ及び横框屋内延出部３２ｄは、縦枠屋内延出部９０ｃ及び横枠本体９１ｂに設けられたシール材１４に当接されている。
【００２７】
障子３を閉じた状態では、縦框３１において複層ガラス３３が嵌め込まれている内周側の面３１ｆは、化粧材１１の見込み片１１ａよりも、扉１の幅方向における外側に位置しており、また、横框３２において複層ガラス３３が嵌め込まれている内周側の面３２ｆは、化粧板１６の内周側の縁１６ａより上下方向における外側に位置している。このため、屋外側から扉１を見たときには、図６に示すように、開口窓１ａからは框３０は視認し難く、複層ガラス３３のみが視認される。
【００２８】
また、障子３を閉じた扉１を屋内側から見たときには、縦枠屋内延出部９０ｃ及び横枠屋内延出部９１ｄは、縦框屋内延出部３１ｅ及び横框屋内延出部３２ｄにより覆われており、図７に示すように、開口枠９は視認し難く障子３のみが視認される。また、障子３を閉じた状態では、開口縦枠９０の縦枠屋外延出部９０ｂと鋼板６の内側突出部６ａとを屋内側から貫通して化粧材１１に螺合されるねじ１５は、障子３の屋外側において当該障子３と対向する位置に配置されるので、ねじ１５が視認されることもない。
【００２９】
本実施形態の扉１によれば、芯材開口５ａに設けられる開口枠９は、縦枠屋外延出部９０ｂが、芯材開口５ａを有する芯材５の内縁５ｂよりも内側に突出する内側突出部６ａに固定されているので、固定している部位は、より屋外側の鋼板６側であって、障子３よりも屋外側に位置している。このため、開口枠９を固定している部位は、視認されにくい。
【００３０】
また、屋内側の鋼板７及び芯材５が、縦枠屋内延出部９０ｃ及び横枠屋内延出部９１ｄと屋外側の鋼板６とに挟持されているので、屋内側の鋼板７側では、縦枠屋内延出部９０ｃ及び横枠屋内延出部９１ｄが屋内側の鋼板７を見込み方向に押圧しており、ねじ等により固定されていない。このため、縦枠屋内延出部９０ｃ及び横枠屋内延出部９１ｄは屋内側の鋼板７に当接されて押圧可能な大きさを有していればよい。このため、縦枠屋内延出部９０ｃ及び横枠屋内延出部９１ｄをより小さくすることが可能である。
【００３１】
また、縦枠屋内延出部９０ｃ及び横枠屋内延出部９１ｄにはねじ等を使用しないので、縦枠屋内延出部９０ｃ及び横枠屋内延出部９１ｄを覆う部材を必要としない。このため、見込み方向における屋内側の鋼板７からの張出量も小さく抑えることが可能である。このため、より意匠性が高い扉１を提供することが可能である。
【００３２】
また、屋外側の鋼板６の縁部６ｂが化粧材１１により覆われるので、屋外側の鋼板６の縁部６ｂは露出しない。また、縦枠屋外延出部９０ｂは、屋外側の鋼板６を挟んで反対側に設けられる化粧材１１にねじ１５が螺合されて固定されるので、屋外側の鋼板６を貫通したねじ１５も化粧材１１にて隠すことが可能である。このため、より意匠性が高い扉１を提供することが可能である。また、ねじ１５を化粧材１１に螺合するので、縦枠屋外延出部９０ｂを屋外側の鋼板６に固定するためのねじ１５の受け部材を設ける必要がない。このため、部材点数をより少なく抑えることが可能である。
【００３３】
また、化粧材１１は、扉１の幅方向おいて芯材開口５ａをなす内縁５ｂよりも内側に配置されているので、化粧材１１がより小さく、意匠性に優れた扉１を提供することが可能である。
【００３４】
また、障子３が開口窓１ａを閉塞すると、開口枠９の縦枠屋内延出部９０ｃ及び横枠屋内延出部９１ｄは、障子３の縦框屋内延出部３１ｅ及び横框屋内延出部３２ｄにより覆われ、屋内側からは開口枠９が視認されない。すなわち、障子３の外周側に開口枠９が露出しないので、意匠性がより向上する。
また、障子３を閉じると開口枠９を固定するねじ１５も視認不能となるので、意匠性が更に高い扉１を提供することが可能である。
【００３５】
また、上記実施形態においては、扉をして玄関扉１を例に挙げて説明したがこれに限らず、玄関扉以外の扉であっても構わない。
【００３６】
上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【００３７】
本実施形態には、少なくとも以下の発明が含まれる。
見込み方向に対向する２枚の鋼板、及び、前記２枚の鋼板の間に設けられる芯材、を有し、見込み方向に連通する開口を備えた扉本体と、前記開口に設けられ、見込み方向に連通する開口窓を形成する開口枠と、前記開口窓を閉止可能に前記開口枠に支持され、見込み方向における一方側に移動して前記開口窓が開放される障子と、を備え、前記２枚の鋼板のうちの見込み方向における他方側に位置する他方側鋼板は、前記芯材において前記開口をなす芯材開口の内縁よりも内側に突出する内側突出部を有し、前記開口枠は、前記内側突出部と見込み方向に対向する突出部対向部と、前記芯材開口よりも外側に突出して前記２枚の鋼板のうちの前記一方側に位置する一方側鋼板と見込み方向に対向する鋼板対向部と、を有しており、前記突出部対向部が前記内側突出部に固定されていることを特徴とする扉である。
【００３８】
このような扉によれば、芯材開口に設けられる開口枠は、突出部対向部が、芯材開口の内縁よりも内側に突出する内側突出部に固定されているので、固定している部位は、より他方側鋼板側であって、障子よりも屋外側に位置している。このため、開口枠を固定している部位は、視認されにくい。また、一方側鋼板及び芯材が、鋼板対向部と他方側鋼板との間に位置し、一方側鋼板側では、鋼板対向部は、ねじ等により固定されていない。このため、鋼板対向部側を覆う部材を必要としないので、見込み方向における一方側鋼板からの張出量を小さく抑えることが可能である。このため、より意匠性が高い扉を提供することが可能である。
【００３９】
かかる扉であって、前記他方側鋼板の前記他方側に、当該他方側鋼板の縁部を覆う化粧材を有し、前記突出部対向部は前記化粧材に螺合されるねじにより前記内側突出部に固定されていることを特徴とする。
【００４０】
このような扉によれば、他方側鋼板の縁部が化粧材により覆われるので、他方側鋼板の縁部は露出しない。また、突出部対向部は、他方側鋼板を挟んで反対側に設けられる化粧材にねじが螺合されて固定されるので、他方側鋼板を貫通したねじも化粧材にて隠すことが可能である。このため、より意匠性が高い扉を提供することが可能である。また、ねじを化粧材に螺合するので、突出部対向部を他方側鋼板に固定するためのねじの受け部材を別途設ける必要がない。このため、部材点数をより少なく抑えることが可能である。
【００４１】
かかる扉であって、前記化粧材は、前記扉本体の幅方向おいて前記芯材開口の内縁よりも内側に配置されていることを特徴とする。
このような扉によれば、化粧材は、幅方向おいて芯材開口をなす内縁よりも内側に配置されているので、化粧材がより小さく、意匠性に優れた扉を提供することが可能である。
【００４２】
かかる扉であって、前記障子は、前記開口窓を閉塞した状態で、前記開口枠よりも一方側にて、前記芯材開口よりも外側に延出する外周延出部を有し、前記外周延出部は前記鋼板対向部を覆っていることを特徴とする。
【００４３】
このような扉によれば、障子が開口窓を閉塞すると、開口枠の鋼板対向部は、障子の外周延出部により覆われ、一方側からは開口枠が視認されない。すなわち、障子の外周側に開口枠が露出しないので、意匠性がより向上する。
【００４４】
かかる扉であって、  前記ねじは、閉じた前記障子の屋外側において当該障子と対向する位置に配置されていることを特徴とする。
このような扉によれば、障子を閉じると開口枠を固定するねじも視認不能となるので、意匠性が更に高い扉を提供することが可能である。
【符号の説明】
【００４５】
１  扉、１ａ  開口窓、３  障子、５  芯材、５ａ  芯材開口、５ｂ  内縁、
６  屋外側の鋼板、６ａ  内側突出部、６ｂ  縁部、６ｃ  屋外鋼板開口、
７  屋内側の鋼板、７ｂ  屋内鋼板開口、８  扉本体、９  開口枠、
１１  化粧材、１１ａ  見込み片、１５  ねじ、３０  框、
３１ｅ  縦框屋内延出部、３２ｄ  横框屋内延出部、９０ｂ  縦枠屋外延出部、
９０ｃ  縦枠屋内延出部、
【図１】
2020147952.tif 000003
【図２】
2020147952.tif 000004
【図３】
2020147952.tif 000005
【図４】
2020147952.tif 000006
【図５】
2020147952.tif 000007
【図６】
2020147952.tif 000008
【図７】
2020147952.tif 000009